(57)【特許請求の範囲】
【請求項１】
基礎部分、各階床部分、各階壁部分、各階天井部分、屋根部分等のように建築物の各階層の設計データを記憶するための設計データ記憶手段と、
各階層を設計するのに必要なその階層の下層や上層の設計データの項目を記憶した上下関連性記憶手段と、
設計すべき一つの階層を設計データ記憶手段に記憶された設計データに基づいて平面図として表示する第一の表示手段と、
上記上下関連性記憶手段に記憶された上記設計すべき一つの階層の上層もしくは下層の設計データの項目に基づいて上記設計データ記憶手段を検索し、上記設計データの項目に対応する上層もしくは下層の設計データだけを平面図として第一の表示手段により表示される図面に重複して表示する第二の表示手段とを具備してなることを特徴とする設計支援装置。
【請求項２】
第二の表示手段は、上記設計データの項目に対応するデータをマークとして表示することを特徴とする請求項１記載の設計支援装置。
【発明の詳細な説明】
【０００１】
【産業上の利用分野】
本発明は、建築物を設計するための設計支援装置に係わり、特に、基礎部分、各階床部分、各階壁部分、屋根部分等のように各階層毎に設計もしくは設計の確認をするに際し、上下関係で矛盾が生じるのを容易に防止できる設計支援装置に関する。
【０００２】
【従来の技術】
一般に、住宅が構造上、充分な強度を有することが必要であり、基礎の配置と一階の柱や構造壁の配置との整合性や、一階の柱や構造壁の配置と二階の柱や構造壁の配置との整合性や、最上階の柱や構造壁の配置と屋根の構造との整合性が取られていることが必要である。
【０００３】
従来、設計支援装置、いわゆるＣＡＤ（computer aided design）システムにより住宅を設計する場合には、ＣＡＤシステムのプログラム内のロジックにより、強度計算を行ったり、構造上の整合性を取ったりするようになっており、ＣＡＤシステムが設計をアシストすることにより、構造上の問題が発生するのを防止するようになっていた。
そして、ＣＡＤシステムを用いて設計された住宅に関する図面は、プリンターやディスプレイにより出力されるようになっていた。
【０００４】
【発明が解決しようとする課題】
ところで、ＣＡＤシステムから出力される図面は、いわゆる設計図となる図面や、外観や内観のパース図などであるが、例えば、設計図として出力される平面図は、基礎部分の図面、一階部分の図面、二階部分の図面、屋根部分の図面のように、住宅の各階層毎の図面となる。
【０００５】
これらの平面図を見て、設計者が各階層の構造上の上下関係の整合性を確認しようと思った場合には、上層の平面図と下層の平面図との少なくとも二枚の平面図を見比べる必要があるが、単に二枚の平面図を並べて見ても、各構造要素の配置位置が正確にあっているかどうかを判断することが困難であった。
【０００６】
また、上記平面図をトレーシングペーパのような半透明もしくは透明なシートに出力して、上下二つの階層の平面図を重ねるか、ディスプレイの画面上において、上下の階層の平面図を重ねて表示すれば、比較的正確に各構造要素の配置位置について上下の階層で整合性がとられているかどうか、確認することができるが、二つ以上の図面を重ねた場合は、多くの線が錯綜した状態となり、各線を確認するのが難しくなる。
【０００７】
なお、これらの問題は、ＣＡＤによる住宅の設計後の確認の段階だけではなく、オペレータの操作によりＣＡＤを用いて設計する際に、随時、オペレータが構造上の上下関係を確認する際に発生する。
【０００８】
本発明は、上記事情に鑑みてなされたものであり、出力される住宅の一つの階層の平面図により、その階層において、その階層の下層もしくは上層との整合性がとられているかどうかを容易に確認できる設計支援装置を提供することを目的とするものである。
【０００９】
【課題を解決するための手段】
本発明の請求項１記載の設計支援装置は、基礎部分、各階床部分、各階壁部分、屋根部分等のように建築物の各階層の設計データを記憶する設計データ記憶手段と、各階層を設計するのに必要なその階層の下層や上層の設計データの項目を記憶した上下関連性記憶手段と、設計すべき一つの階層を設計データ記憶手段に記憶された設計データに基づいて平面図として表示する第一の表示手段と、上記関連性記憶手段に記憶された上記設計すべき一つの階層の上層もしくは下層の設計データの項目に基づいて上記設計データ記憶手段を検索し、上記設計データの項目に対応する上層もしくは下層の設計データだけを平面図として第一の表示手段により表示される図面に重複して表示する第二の表示手段とを具備してなることを上記課題の解決手段とした。
【００１０】
本発明の請求項２記載の設計支援装置は、第二の表示手段が、上記設計データの項目に対応するデータをマークとして表示することを上記課題の解決手段とした。
【００１１】
【作用】
上記請求項１記載の構成によれば、第一の表示手段により表示された平面図に、該図面が示す建築物の階層に構造上関係する上層もしくは下層の設計データが第二の表示手段により重複して表示されることになる。
【００１２】
従って、上下関連性記憶手段に、例えば、二階部分に関連する設計データ項目として一階部分の耐力壁の位置を項目として登録しておけば、第一の表示手段により上記二階部分の平面図を表示するに際して、第二の表示手段が、上下関連性記憶手段に記憶された項目（一階部分の耐力壁の位置）に基づいて、上記設計データ記憶手段から、一階部分の耐力壁の位置を表示することになり、二階部分の一階部分の耐力壁の位置に対応させる必要がある部分の設計及び設計の確認を容易に行うことができる。
【００１３】
なお、第一の表示手段により表示される平面図に重複して表示されるのは、上下関連性記憶手段に記憶された項目に対応する設計データだけなので、設計すべき階層の平面図とその上層もしくは下層の平面図とを重ねた場合のように、各平面図の線が全て重複して表示されることがなく、図面が見難い状態となるのを防止することができる。
【００１４】
また、上記請求項２記載の構成によれば、さらに第二の表示手段が、上記設計データの項目に対応するデータをマークとして表示しているので、さらに図面を見やすくすることができる。
【００１５】
【実施例】
以下に、本発明の一実施例を図面を参照して説明する。
なお、この実施例の設計支援装置は、床、壁、屋根等がパネルから構築される住宅の設計に用いられるものである。
また、上記パネルは、木製の芯材を矩形枠状に組んで、枠体を形成し、該枠体の少なくとも一面に面材を貼設したものである。
【００１６】
また、上記設計支援装置は、住宅の間取り、各種建具や各種仕上部材等の配置、屋根の形状等（住宅の意匠）を入力するための意匠入力機能と、上記意匠において入力された床、壁、屋根等にパネルを配置するとともに、その他の躯体となる部材や該部材及び上記パネルに付随する部材を配置し、かつ、住宅の必要強度をチェックする構造決定機能と、上記意匠入力及び構造決定において割り付けられた部材に基づいて、設計される住宅の見積りを求める積算機能とを有するものである。
【００１７】
そして、本実施例の設計支援装置は、図１に示すように、いわゆる一般的なコンピュータシステムとしてのシステム構成を有するものであり、図示しないＣＰＵ（central processing unit）、ＲＡＭ（random access memory）、ＲＯＭ（read only memory）等から構成される演算処理装置（コンピュータ本体）１と、ハードディスクドライブ等からなる記憶装置２と、キーボード及びマウス、タブレット、デジタイザーなどのポインティングデバイスからなる入力装置３と、ＣＲＴディスプレイ等のディスプレイからなる表示装置４と、プリンタやプロッター等からなるハードコピーの出力装置５とを有するものである。
【００１８】
上記記憶装置２には、設計支援装置で用いられる各種プログラムや、該プログラムで用いられる各種データが記憶されている。
上記各種プログラムは、ＣＡＤシステムとしてのものであり、設計支援装置上での住宅の設計を行うためのものである。
また、上記各種データとしては、上記設計支援装置上での住宅の設計に際して、住宅に割り付けられる各種部材のデータであり、例えば、各種部材の形状や、価格等の様々なデータが記憶されている。
【００１９】
また、記憶装置２には、上記意匠、構造、積算等の各段階において行われた設計の操作により生じた設計データが設計データファイルとして記憶されている。そして、記憶装置２は、これらの設計データを単に数値としてだけではなく、図面としても記憶している。
さらに、この実施例において記憶装置２には、住宅を基礎部分、各階毎の床部分、各階毎の壁部分、天井部分、屋根の小屋梁部分（屋根パネルを支持する梁）、屋根の屋根パネル部分等の層に分け、各層に関連するその層の上層もしくは下層の設計データの項目を上下関連性データとして上下関連性データファイルに記憶するようになっている。
【００２０】
例えば、上下関連性データとしては、基礎部分に対して一階の床パネルの框材（上記パネルを構成する枠体部分）の位置、一階の床部分に対して基礎の位置、二階以上の床部分に対して該床部分の下の階の耐力壁（なお、この耐力壁には、垂直方向の荷重だけを支持する支持壁と、垂直方向の荷重と水平方向の力との両方を支持する耐力壁とが含まれる）の位置、一階の壁部分に対して基礎の位置、二階以上の壁部分に対してその下の階の耐力壁の位置、屋根の小屋梁部分に対して屋根の下の階（基本的には最上階）の耐力壁が配置される耐力壁線（住宅の外周や部屋の境界を示す線であり、この耐力線上に必要な量の耐力壁が配置される）上の窓、ドア等の開口位置、屋根の屋根パネル部分に対して上記小屋梁の位置、屋根の下の外周壁におけるパネルの接合部、屋根の下の外周の開口位置がそれぞれ関連する設計データの項目として記憶されている。
【００２１】
ここで、上記上下関連性データにおける各住宅部分と各設計データ項目との関係について説明する。
なお、上述のようにこの設計支援装置においては、枠体と面材とから箱状に形成されたパネルを用いたパネル工法による住宅が設計されるようになっており、上述のパネルをパネルもしくはその他の部材と接合する際には、接合強度を得るために、箱状のパネル内の枠体もしくはその他の部位に配置された芯材の部分を用いて接合する必要があり、住宅の各部分同士の接合においても、パネル内の枠体及び芯材の位置を特定する必要がある。
【００２２】
そして、住宅の基礎部分における布基礎や独立基礎（束基礎）等の基礎の配置においては、その基礎上に配置される床パネルの割り付けに対応する必要がある。すなわち、床パネルの枠体となる框材が基礎上に配置されることにより、基礎に床パネルが支持された状態とすることができるので、基礎が正常に割り付けられているかどうかを確認するのに、床パネルの枠体を構成する框材の位置と基礎の位置との対応を見比べる必要がある。
また、一階の耐力壁の下にも基礎があることが必要であり、基礎部分に対応する上下関連性データとして、一階の耐力壁の位置を加えても良い。
【００２３】
また、一階の床部分における床パネルの割り付けにおいては、各床パネルが基礎に支持されている必要があるので、床パネルの割り付けを確認するために、基礎の位置が対応する項目となる。
また、二階以上の床部分における床パネルの割り付けには、各床パネルが耐力壁（上記支持壁を含む）に支持されている必要があるので、床パネルの割り付けを確認するために、耐力壁の位置が対応項目となる。
【００２４】
また、一階の壁部分における壁パネルの割り付けにおいては、耐力壁となる壁パネルと基礎とが必要量のアンカーボルトにより接合されている必要があり、アンカーボルトの位置を確認する上で、基礎の位置が対応項目となる。
また、二階の壁部分における壁パネルの割り付けにおいては、耐力壁となる壁パネルと下階の耐力壁とが必要量の胴差ボルトにより接合さている必要があり、胴差ボルトの位置を確認する上で、下階の耐力壁の位置が対応項目となる。
【００２５】
また、屋根部分における小屋梁の割り付けには、この実施例において小屋梁が壁の窓やドア等の開口部上に配置される際に補強用の補強合板を小屋梁と壁との接合部に配置する必要があり、上記補強合板の割り付け位置を確認するのに耐力壁線上の開口部の位置が必要となる。
【００２６】
また、屋根部分における屋根パネルの割り付けには、屋根パネル同士の接合部に小屋梁が配置されている必要があり、屋根パネルの割り付けの確認のために、小屋梁の位置が必要となる。
さらに、屋根パネルからなる屋根と外周壁とを接合する接合部材の割り付けには、上述のように壁パネルの芯材の位置が必要となり、接合部材の割り付け位置を確認するために、壁の必ず芯材が配置される位置として壁パネル同士の接合部及び開口部の位置が必要となる。
【００２７】
また、天井部分における天井板の割り付けにおいては、天井板を支持する天井吊梁を取り付けるために、天井吊梁が取り付けられる上階の床パネルの割り付け位置が必要となる。すなわち、天井吊梁と天井板の割り付け位置の確認のために、上階の床パネルの割り付け位置が必要となる。
【００２８】
なお、上記上下関連性データは、一例であり、各住宅の各階層において、その階層の上下の階層と構造上の関連がある部分の項目を全て上下関連性データファイルに登録するものとしても良いし、その一部を上下関連性データファイルに登録するものとしても良い。
また、各階層の各部位毎に該部位に必要な上下の階層との関連項目を個別に登録し、各階層の各部位を設計もしくは確認する際に、上記部位に関連する設計データを図面として表示できるようにしても良い。
【００２９】
また、上記演算処理装置１は、記憶装置２の設計データファイル２ａに記憶された設計データ（図面のデータを含む）に基づいて、基礎部分、各階床部分、各階壁部分、天井部分、屋根の小屋梁部分、屋根の屋根パネル部分等を主に平面図（側面図の場合もあり）として表示装置４や出力装置５に出力する機能を有する。
さらに、上記演算処理装置１は、上記各部分の図面を出力するに際し、上記記憶装置２の上下関連性データファイル２ｂの各部分に対応する設計データの項目を参照し、該項目に基づいて設計データファイル２ａを検索し、得られたデータを図面もしくはマークとして、上記各部分の図面に重複して表示する機能を有する。
【００３０】
次に、上記構成の設計支援装置による住宅の設計方法について説明する。
まず、上記意匠機能により住宅の間取り、各種建具や各種仕上部材等の配置、屋根の形状等（住宅の意匠）を入力するに際しては、表示装置２の画面上でポインティングデバイスにより入力することができるとともに、入力されたデータが表示装置２の画面上に図面として表示されるようになっている。
【００３１】
また、パネル工法においては、柱や梁で住宅の強度を保つのではなく、主に壁パネルや床パネルや屋根パネルが住宅の強度を保つようになっているので、部屋の大きさや部屋の配置が予め決められた規定の範囲内となっていれば、住宅にとって必要かつ充分な強度を有する構造とすることが可能となっており、上記意匠入力機能により住宅の間取り、各種建具や各種仕上部材等の配置、屋根の形状等が入力された段階で、ＣＡＤシステムが入力された意匠に基づいて、上記壁パネル、床パネル、屋根パネル及びその他の部材を自動的に割り付けるとともに、強度の確認を行うようになっている。
【００３２】
すなわち、上記プログラムとして上記壁パネル、床パネル、屋根パネル及びその他の部材の割り付けのロジックが記憶されており、上記意匠入力機能により入力された設計データに基づいて、必要充分な強度を有する状態で各種部材の自動割り付けが行われるようになっている。
【００３３】
そして、次にＣＡＤシステムにおいては、住宅の基礎部分、各階毎の床部分、各階毎の壁部分、天井部分、屋根部分毎に住宅を分けた状態で、各部分毎の図面を表示装置２の画面上に表示し、設計者が上記表示装置２の画面を見てＣＡＤシステム上で行われた各種部材の割り付けを確認するようになっている。
【００３４】
この際に、上記演算処理装置１は、上記記憶装置２に記憶された設計データに基づいて、住宅の基礎部分の平面図、各階の各壁部分の側面図及び各階毎の壁の配置の平面図、各階毎の床部分の平面図、天井部分の平面図、屋根部分の小屋梁の配置を示す平面図、屋根部分の屋根パネルの配置を示す平面図を表示装置２に表示するようになっている。
【００３５】
そして、基礎部分の平面図を表示する際には、上記上下関連データの基礎部分に対応する設計データの項目、すなわち、一階の床部分の床パネルの框材の位置に基づいて、記憶装置の設計データを検索して一階の床パネルの框材の位置を割り出し、上記平面図上に例えば、基礎部分の平面図とは異なる色のマークや、点滅するマークとして、一階の床パネルの框材の位置を表示する。
【００３６】
そして、オペレータは、基礎部分の平面図における基礎の配置と、一階の床の床パネルの框材の位置を示すマークの配置とを一つの画面上で見比べて、基礎の配置に不都合がないか、もしくはＣＡＤシステムが決定した基礎の配置よりも、優れた基礎の配置、例えば、ＣＡＤシステムが決定した配置よりも低コストで充分な強度を確保できる配置がないかを確認する。
【００３７】
そして、不都合な部分がある場合や、ＣＡＤシステムが決定した配置よりも優れた配置がある場合には、上記床パネルの框材の位置がマークとして表示された状態の基礎部分の平面図上で基礎の配置の修正を行う。
【００３８】
また、上記各階の壁部分の側面図及び平面図、各階毎の床部分の平面図、天井部分の平面図、屋根部分の小屋梁の配置を示す平面図、屋根部分の屋根パネルの配置を示す平面図においても、上記上下関連データに基づいて、設計データから対応する項目のデータが検索され上述のように上記項目に対応する部材の位置を示す図面もしくはマークが側面図や平面図上に表示され、オペレータは、上記図面もしくはマークが表示された画面上の平面図もしくは側面図を見て、設計の確認及び修正を行うことができる。
【００３９】
従って、オペレータが修正の必要な部分を見逃したりする可能性を減少することができる。
なお、ＣＡＤシステムによる部材の自動割り付けにおいては、安全性を優先するようになっており、強度を保つのに充分以上の部材が必ず割り付けられるようになっている。従って、オペレータによる修正は、主に、ＣＡＤシステムのロジックが安全性を優先するために必要のないところにまで配置されてしまった部材等を取り除くものである。
従って、オペレータが修正すべき部分を見逃しても、住宅の強度に影響がでることがない。
【００４０】
ここで、図面を参照してより具体的に説明する。
図２は、上記屋根部分の小屋梁１０…の配置を示す平面図である。
そして、上記図２中には、当然、小屋梁１０…が図示されることになる。また、図２には屋根の外形を示す屋根外形線（屋根の外周と峰部分を示す線）１１…が図示されている。
【００４１】
そして、図２の平面図には、外周壁１２…とその他の屋根裏面まで達する壁１３とが図示されるとともに、図３に示す屋根下の階の外周壁１２及び屋根裏面まで達する壁１３の窓やドア等の開口部分１４…の位置に矩形状の矩形枠（破線で図示）１５…がマークとして図示されている。
なお、図２を実際の表示装置の画面上に表示する場合には、例えば、図面上の小屋梁１０を示す各線が白い画面上に黒で図示され、外周壁１２等の壁１２、１３が青で図示され、上記矩形枠１５が赤で図示されるようになっている。
【００４２】
そして、上記矩形枠１５内で小屋梁１０と壁１２、１３とが接合される場合には、この実施例のパネル工法において、壁１２、１３に補強合板（図示略）を設置することになっている。従って、補強合板をオペレータの操作により入力する場合には、上記矩形枠１５内にある壁１２、１３と小屋梁１０との接合部の全てに補強合板を配置すれば良く、いちいち図３に示す壁１２、１３の開口部１４…の配置と小屋梁１０の配置とを見比べながら補強合板を配置する必要がない。
【００４３】
また、補強合板がＣＡＤシステムにより自動割り付けされている場合には、オペレータは、まず、矩形枠１５内にある壁１２、１３と小屋梁１０との接合部において補強合板が割り付けられているかどうかを確認するとともに、矩形枠１５内以外の部分における壁１２、１３と小屋梁との接合部に補強合板がよけいに割り付けられていないかどうかを確認すれば良い。
【００４４】
すなわち、設計時もしくは設計の確認時に図２の平面図の表示を見るだけで、階下の壁１２、１３の開口部１４の位置が確認できるので、わざわざ図３に示す下の階層の壁１２、１３と壁の開口部１４の配置を示す図面をみなくとも、一つの図面により下の階層の構造に対応した設計及び設計の確認を行うことができる。
【００４５】
図４は、図２及び図３に示される住宅と同様の構成の住宅の屋根部分の屋根パネル１６…の割り付けと、屋根パネル１６…からなる屋根と外周壁１２とを接合する接合部材（図示略）との配置を示す図面である。
上記図面には、屋根パネル１６の割り付けと、上記耐力壁線上の壁１２、１３の配置と、上記屋根と外周壁１２とを接合する接合部材の割り付け位置を示すＵ字状のＵマーク１７…とが図示されている。
なお、Ｕマーク１７…は、図面上においては、外周壁１２から離れた位置に配置されているが、これは図面が煩雑になるのを防止するためにＵマーク１７…の位置をずらしたものであり、接合部材は、Ｕマーク１７…から最短距離にある外周壁１２上の位置に取り付けられるものである。
【００４６】
それに加えて、図４には、屋根パネル１６…を支持する小屋梁１０…と、階下の耐力壁（支持壁を含む）線上の窓、ドア等を示す開口部１４の位置を示すマークとしての矩形枠１５…と、上記耐力壁線上に配置された壁パネル（図示略）同士の接合部の位置を示すＶ字状のＶマーク１８…とが図示されている。
【００４７】
そして、上記接合部材は、基本的に、壁パネルの框材が２本並んで配置される壁パネル同士の接合部（Ｖマーク１８）と、屋根パネル１６の中央部に縦に配置された芯材（図示略）とを接合するようになっており、上記壁パネル同士の接合部を示すＶマーク１８と、屋根パネル１６の中央部とが一致する位置にＵマーク１７で示す接合部材が配置されることになる。
【００４８】
また、矩形枠１５で示す開口部１４上には、その中央部に屋根パネル１６の中央部の縦の芯材と上記接合部材により接合可能な芯材を有する小壁パネル（図示略）が配置される場合があるので、矩形枠１５で示される開口部１４上の小壁パネルの中央部と、屋根パネル１６の中央部とが一致する位置においてもＵマーク１７で示す接合部材が配置されることになる。
【００４９】
従って、上記小屋梁１０を示す平面図における補強合板の配置と同様に、Ｕマーク１７が図示されていない状態の図４上において、屋根パネル１６…の割り付け位置と、階下の壁パネルの接合位置を示すＶマーク１８…と、階下の壁の開口部１４を示す矩形枠１５とから屋根と階下の外周壁１２とを接合する接合部材の位置を判定できるので、階下の壁の壁パネルの割り付けを示す図面や、階下の壁の開口部１４の位置を示す図面と、屋根パネル１６…の割り付けを示す図面とを見比べなくとも、図４に示す図面を見るだけで、屋根と壁とを接合する接合部材の割り付けを行うことと、上記接合部材が正しく割り付けられているかを確認することができる。
【００５０】
また、図４上に図示された耐力壁線上の壁１２、１３の配置と小屋梁１０の配置とから屋根パネル１６…が正しく壁１２、１４及び小屋梁１０に支持される状態で割り付けられているいかどうかを確認することができる。
【００５１】
以上のように、この実施例の設計支援装置によれば、住宅の一つの階層の部分、例えば、基礎部分、各階の床部分、各階の壁部分、屋根の梁部分、屋根の屋根面の部分等の設計もしくは設計の確認を行う際に、既に設計された例えば下もしくは上の階層部分の設計データのうちの確認もしくは設計を行う階層に関係がある設計データだけを一緒の図面に表示することにより、上下の階層で構造上関係する部分を複数の図面を見比べなくとも容易に確認もしくは設計することができる。
【００５２】
また、上下の階層で構造上関係する部分だけ抜き出して確認もしくは設計すべき階層の平面図に重複して表示することにより、二つの図面をそのまま重複して表示した場合のように多くの線が錯綜して表示されることがなく、見やすい状態で、確認もしくは設計を行うことができる。
【００５３】
また、単に確認もしくは設計すべき階層の図面上に関連する上もしくは下の階層の設計データを表示する際に、単に上もしくは下の階層の構造上確認もしくは設計すべき階層と関係する部分をそのままの図面として表示するのではなく、何らかのマークとして表示することにより、図面をさらに見やすいものとすることができる。
【００５４】
なお、上記実施例においては、本発明をパネル工法の住宅の設計に応用したが、建築物の設計においては、構造上、上下の階層間での構造の整合性をとることが重要であり、本発明は、あらゆる工法で構築される建築物に応用することができる。
また、上記実施例において上下関連データの一例を示したが、上下の階層で関連する部分は、建築物の構造や工法の違いにより異なるので、それぞれ建築物の構造や工法に対応した項目を上下関連データとして記憶すれば良い。
また、上記実施例においては、上記図面を表示装置４に表示するものとしたが、プリンタ等の出力装置５から上記図面を出力するものとしても良い。なお、プリンタ等から出力した図面に基づいて設計もしくは設計の確認を行った場合には、再び、表示装置及び入力装置を用いてＣＡＤシステムに設計したデータや修正したデータを入力する必要がある。
【００５５】
【発明の効果】
以上、詳細に説明したように、本発明の請求項１記載の構成によれば、設計もしくは設計の確認をすべき建築物の一つの階層を第一の表示手段により平面図として表示する際に、第二の表示手段が、上記設計もしくは確認すべき階層に関係する該階層の上層もしくは下層の設計データの項目を上記上下関連性記憶手段から求め、該設計データの項目に基づいて設計データ記憶手段を検索して得られたデータを平面図として上記第一の表示手段により表示される平面図上に重複して表示することになる。
【００５６】
従って、一つの階層を設計もしくは確認する際に、上記階層の上層もしくは下層の設計データが必要な場合に、上層もしくは下層を示す平面図と上記階層を示す平面図とを見比べなくとも、上記階層と上層もしくは下層との構造上の関連性を知ることができ、一つの平面図により一つの階層とその階層の上層もしくは下層との整合性を保った状態で設計及び設計の確認を行うことができる。
【００５７】
また、単に上下の階層の平面図を重ねた状態で表示するのではなく、上記上下関連性記憶手段に記憶された設計データの項目に対応するデータだけを重複して表示するので、表示される図面が煩雑になるのを防止することができる。
【００５８】
また、本発明の請求項２記載の設計支援装置によれば、上記第二の表示手段がデータを図面として表示する際に、マークとして表示するので、さらに図面を見やすくすることができ、設計や設計の確認を容易なものとすることができる。
【図面の簡単な説明】
【図１】本発明の一実施例の設計支援装置の概略構成を示すブロック図である。
【図２】上記実施例の設計支援装置から出力される図面を説明するための屋根の小屋梁を示す平面図である。
【図３】上記実施例の設計支援装置から出力される図面を説明するための屋根の下の階の壁及び壁に形成された開口部を示す平面図である。
【図４】上記実施例の設計支援装置から出力される図面を説明するための屋根パネルの割り付けられた屋根を示す平面図である。
【符号の説明】
１      記憶装置（設計データ記憶手段、上下関連性記憶手段）
２      演算処理装置（第一の表示手段、第二の表示手段）
【図１】
0003730678.tif 000002
【図２】
0003730678.tif 000003
【図３】
0003730678.tif 000004
【図４】
0003730678.tif 000005